(57)【特許請求の範囲】
【請求項１】
ベース上に発電機、ガスエンジンおよび制御盤を載置して周囲をパッケージで覆ったパッケージ型発電装置において、前記パッケージの前記制御盤に対向する位置に設けられた制御盤メンテナンス用扉に、前記制御盤面上の操作スイッチの操作が可能な開口部を有するスイッチ操作用扉を設けるとともに、このスイッチ操作用扉の開口部を前記パッケージ内に対して遮蔽する遮蔽部材を、前記制御盤メンテナンス用扉と前記制御盤との間に設けたことを特徴とするパッケージ型発電装置。
【請求項２】
前記スイッチ操作扉の開口部を前記制御盤面の操作スイッチの操作が可能な範囲で小さく構成したことを特徴とする請求項１に記載のパッケージ型発電装置。
【請求項３】
前記遮蔽部材を中実のパッキンで構成したことを特徴とする請求項１または２に記載のパッケージ型発電装置。
【発明の詳細な説明】
【０００１】
【発明の属する技術分野】
本発明は、ベース上に発電機、ガスエンジンおよび制御盤を載置して周囲をパッケージで覆ったパッケージ型発電装置に関するものである。
【０００２】
【従来の技術】
図３は従来のパッケージ型発電装置の全体を示す正面図である。図３において、ガスエンジン１と、このガスエンジン１の動力によって駆動される発電機２は直結されてベース３上に防振マット４を介して載置されている。ガスエンジン１には、ガス燃料を供給するガス燃料配管５が接続され、このガス燃料配管５の途中には、燃料ガス圧力を調整するガバナ６が設けられている。
【０００３】
発電装置の運転を制御する制御盤７は、発電機２の側方に位置するベース３上に直接載置され、この制御盤７面上に操作スイッチ８が設けられている。
【０００４】
これらの機器は、内壁に消音材を取付けた防音壁構造を有するパッケージ９により密閉状態に覆われ、パッケージ９内は、温度上昇を抑制するために換気ファン１０により矢印に示すように換気されて内部の圧力が一定に保たれるようになっている。
【０００５】
ガスエンジン１は、図示しない吸気配管を介してパッケージ９の外部から吸気し、排気配管１１を介して燃焼ガスをパッケージ９の外部に排出するようになっている。
【０００６】
パッケージ９には、制御盤５に対向する位置に、制御盤５とほぼ同じ大きさの開口部が設けられ、この開口部を閉じる制御盤メンテナンス用扉１２が設けられている。そして発電装置の運転中に運転制御を行なう場合には、この制御盤メンテナンス用扉１２を開閉して制御盤５面上の操作スイッチ６を操作することにより行うようになっている。
【０００７】
【発明が解決しようとする課題】
ところで、上記従来のパッケージ型発電装置において、発電装置の運転中に運転制御を行なう場合には、上述したように制御盤メンテナンス用扉１２を開閉することになるが、制御盤メンテナンス用扉１２を開けると、制御盤メンテナンス用扉１２の開口部を通してパッケージ９内の空気が吸い出され、制御盤メンテナンス用扉１２を閉じると、パッケージ９外部の空気が押し込まれてパッケージ９内の圧力を変動させることがある。
【０００８】
パッケージ９内のガスエンジン１は、パッケージ９内の圧力に応じてガバナ４による微妙な燃料ガス圧力の調整が行なわれている。このため、発電装置の運転中に、制御盤メンテナンス用扉１２の開閉によりパッケージ９内の圧力が変動すると、ガバナ４による微妙な燃料ガス圧力の調整が困難となり、ガスエンジン１の運転状態が不安定になるという問題が生じる。
【０００９】
本発明は、このような従来技術の問題を解決するためになされたものであり、発電装置の運転中に、制御盤面上の操作スイッチを操作する場合に、パッケージ内の圧力に変動を生じることがなく、これによりガスエンジンに対して微妙な燃料ガス圧力の調整が行なえて高効率の安定した電力を得ることのできるパッケージ型発電装置を提供することを目的とする。
【００１０】
【課題を解決するための手段】
上記目的を達成するため、本発明は、ベース上に発電機、ガスエンジンおよび制御盤を載置して周囲をパッケージで覆ったパッケージ型発電装置において、パッケージの制御盤に対向する位置に設けられた制御盤メンテナンス用扉に、制御盤面上の操作スイッチの操作が可能な開口部を有するスイッチ操作用扉を設けるとともに、このスイッチ操作用扉の開口部をパッケージ内に対して遮蔽する遮蔽部材を、制御盤メンテナンス用扉と制御盤との間に設けたことを特徴とする。
【００１１】
このように構成すれば、発電装置の運転中に運転制御を行なうために、スイッチ操作用扉を開閉してスイッチ操作を行なっても、スイッチ操作用扉の開口部を通してパッケージ内外の空気の流出入が発生しないので、パッケージ内の圧力に変動が生じなくなり、ガスエンジンに対してガバナによる微妙な燃料ガス圧力の調整を行なうことができる。
【００１２】
この場合、スイッチ操作扉の開口部を制御盤面の操作スイッチの操作が可能な範囲で小さく構成することにより、開口部およびスイッチ操作扉を小さくでき、スイッチ操作扉の開閉による空気の流出入を小さくでき、パッキンの取付け構成を簡素化できる。
【００１３】
また遮蔽部材を中実のパッキンで構成することにより、パッケージ内の騒音の漏出を低減することができる。
【００１４】
【発明の実施の形態】
以下、本発明の実施の形態を説明する。図１は本発明によるパッケージ型発電装置の全体を示す正面図、図２（ａ）は図１の主要部を拡大して示す正面図、図２（ｂ）は図２（ａ）のＡ−Ａ線に沿って断面した側面断面図である。図１および図２において、ベース３上には、防振マット４を介して、直結したガスエンジン１と発電機２が載置され、さらにその側方に操作スイッチ８を有する制御盤７が直接ベース３上に載置されている。
【００１５】
これらの機器は、内壁に消音材を取付けた防音壁構造を有するパッケージ９により密閉状態に覆われ、パッケージ９内は、ガスエンジン１や発電機２を冷却するために換気ファン１０により吸気口９ａおよび排気口９ｂを介して矢印のように換気され、内部の圧力が一定に保たれるようになっている。なおパッケージ９の吸気口９ａおよび排気口９ｂには図示しない消音ダクトが連結されている。
【００１６】
ガスエンジン１は、ガバナ６を介してガス燃料配管４によりパッケージ９外部の燃料供給源に接続されており、パッケージ９内の圧力を図示しない圧力センサにより検出してパッケージ９内の圧力に応じてガバナ４により微妙な燃料ガス圧力の調整が行われている。またガスエンジン１は、図示しない吸気配管を介してパッケージ９の外部から吸気し、排気配管１１を介して燃焼ガスをパッケージ９の外部に排出するようになっている。
【００１７】
パッケージ９には、制御盤７に対向する位置に、制御盤７とほぼ同じ大きさの開口部が設けられ、この開口部を閉じる制御盤メンテナンス用扉１３が開閉自在に設けられており、この制御盤メンテナンス用扉１３を開けることにより制御盤７のメンテナンスが行なえるようになっている。
【００１８】
ここで、本実施の形態においては、上記制御盤メンテナンス用扉１３に、制御盤７面上の操作スイッチ８の操作が可能な小さな開口部が設けられ、この開口部を閉じるスイッチ操作用扉１４が開閉自在に設けられている。また制御盤メンテナンス用扉１３の裏面には、スイッチ操作用扉１４の開口部の周縁部全周にわたって遮蔽部材を構成するパッキン１５が貼付けられ、制御盤メンテナンス用扉１３を閉じている状態では、このパッキン１５が制御盤７面に密着して制御盤７面と制御盤メンテナンス用扉１３の裏面との隙間を埋め、スイッチ操作用扉１４の開口部がパッケージ９内に対して遮蔽されるようになっている。
【００１９】
従って本実施の形態によれば、発電装置の運転中に運転制御するために、制御盤７面上の操作スイッチ８を操作する必要が生じた場合には、小さなスイッチ操作用扉１４を開閉することで操作することができ、そしてこの場合に、制御盤メンテナンス用扉１３と制御盤７面との隙間がパッキン１５により遮蔽されているので、スイッチ操作用扉１４を開いた際にパッケージ９内部から空気が吸い出されたり、スイッチ操作用扉１４を閉じた際にパッケージ９外部の空気をパッケージ９内に押し込んだりすることがなくなる。
【００２０】
これにより操作スイッチ８の操作時に、パッケージ９内の圧力に変動が生じなくなり、ガスエンジン１に対してガバナ４による微妙な燃料ガス圧力の調整を行なうことができ、ガスエンジン１の運転状態を安定させて高効率の安定した電力を得ることが可能となる。
【００２１】
この場合、例えば制御盤７面における操作スイッチ８の位置を近づけて配置するように構成し、スイッチ操作扉１４の開口部を、その制御盤７面の操作スイッチ８の操作が可能な範囲で小さく構成することにより、スイッチ操作扉１４の開口部およびスイッチ操作扉１４を可能な限り小さく構成することが望ましい。
【００２２】
このようにすれば、スイッチ操作扉１４の開閉による開口部を通した空気の流出入が少なくなるので、パッキン１５の貼付け強度や密着強度を高くする必要がなくなり、パッキン１５の取付け構成を簡素化することができる。
【００２３】
なお、上記実施の形態において、パッキン１５を制御盤メンテナンス用扉１３の裏面に貼付けた場合について説明したが、制御盤７面側に貼付けても同様の効果を奏することができる。
【００２４】
またパッキン１５を音の透過が少ない中実の材料で構成することが望ましい。このようにすれば、スイッチ操作扉１４を開いているときに、パッキン１５を透過するパッケージ９内の騒音を減衰させることができ、スイッチ操作扉１４を開いているときに、スイッチ操作扉１４の開口部を通してパッケージ９の外部に漏出する音を低減することができる。
【００２５】
さらにパッキン１５による気密性および遮音性を向上するために、パッキン１５を、制御盤メンテナンス用扉１３と制御盤７面との隙間に二重に配置することもできる。
【００２６】
【発明の効果】
以上説明したように、本発明のパッケージ型発電装置によれば、パッケージに設けられた制御盤メンテナンス用扉に、制御盤面上の操作スイッチの操作が可能な開口部を有するスイッチ操作用扉を開閉自在に設けるとともに、このスイッチ操作用扉の開口部をパッケージ内に対して遮蔽する遮蔽部材を設けたことにより、発電装置の運転中に、スイッチ操作用扉を開閉してスイッチ操作を行なっても、スイッチ操作用扉の開口部を通してパッケージ内外の空気の流出入が発生しないので、パッケージ内の圧力に変動が生じなくなり、ガスエンジンに対してガバナによる微妙な燃料ガス圧力の調整が行なえて高効率の安定した電力を得ることができる。
【図面の簡単な説明】
【図１】本発明によるパッケージ型発電装置の全体を示す正面図である。
【図２】（ａ）は図１の主要部を拡大して示す正面図、（ｂ）は（ａ）のＡ−Ａ線に沿って断面した側面断面図である。
【図３】従来のパッケージ型発電装置の全体を示す正面図である。
【符号の説明】
１…ガスエンジン
２…発電機
３…ベース
４…防振マット
５…ガス燃料配管
６…ガバナ
７…制御盤
８…操作スイッチ
９…パッケージ
９ａ…吸気口
９ｂ…排気口
１０…換気ファン
１１…排気配管
１２，１３…制御盤メンテナンス用扉
１４…スイッチ操作用扉
１５…パッキン（遮蔽部材）
【図１】
0003723901.tif 000002
【図２】
0003723901.tif 000003
【図３】
0003723901.tif 000004